(57)【特許請求の範囲】
【請求項１】
一端が開口して他端が底部で閉じられているハウジングと、
前記ハウジング内に配置され、粘性流体が充填された流体保持筒部材を含み、かつ、前記流体保持筒部材から突出する案内杆をも有して前記ハウジングの軸線方向沿いに進退する可動部と
から成り、
前記案内杆が前記ハウジングの底部に係止されており、
前記流体保持筒部材内には前記可動部を前記ハウジングから突出する方向に付勢する付勢手段が配置されている
流体ダンパーにおいて、
前記ハウジング内の閉じられた他端側には、前記流体保持筒部材の前記案内杆が突出するところから前記ハウジング内に漏れるかもしれない粘性流体を保持する漏れ流体保持手段を備えていること
を特徴とする流体ダンパー。
【請求項２】
請求項１に記載の流体ダンパーであって、前記漏れ流体保持手段は、前記ハウジング内に前記漏れ粘性流体を閉じ込める流体溜めから成っていることを特徴とする流体ダンパー。
【請求項３】
請求項１に記載の流体ダンパーであって、前記漏れ流体保持手段は、前記ハウジング内に前記漏れ粘性流体を吸収する流体吸収部材から成っていることを特徴とする流体ダンパー。
【請求項４】
一端が開口して他端が底部で閉じられているハウジングと前記ハウジング内に摺動自在に嵌入された抵抗性摺動体とから成り、
前記抵抗性摺動体は、前記ハウジングの底部に係止される案内杆と、前記案内杆に流体が漏れないように摺動自在に支持され内部に緩衝用粘性流体が充填された流体保持筒部材とを含み、
前記流体保持筒部材内には前記流体保持筒部材を前記ハウジングの開口から突出する方向に付勢する付勢手段が配置されている
流体ダンパーにおいて、
前記ハウジングと前記抵抗性摺動体との間には前記流体保持筒部材の前記案内杆が突出するところから前記ハウジング内に漏れるかもしれない粘性流体を、前記ハウジング内であって前記抵抗性摺動体の突出端の反対側でもある前記ハウジングの閉じた他端側に形成された長手方向の空間に保持する漏れ流体保持手段を備え、
前記漏れ流体保持手段が、前記空間に前記漏れ流体を閉じ込める流体溜めを含んでいること
を特徴とする流体ダンパー。
【請求項５】
請求項４に記載の流体ダンパーであって、前記漏れ流体保持手段は、前記ハウジングの開口側の内周面に取り付けられて前記抵抗性摺動体を摺動自在に支持する閉じ込め筒を更に含んでいることを特徴とする流体ダンパー。
【請求項６】
請求項４に記載の流体ダンパーであって、前記漏れ流体保持手段は、前記ハウジングの開口側の内周面に形成されて前記抵抗性摺動体を摺動自在に支持する肉厚壁を含んでいることを特徴とする流体ダンパー。
【請求項７】
請求項５又は６に記載の流体ダンパーであって、前記ハウジングは、前記閉じ込め筒又は肉厚壁を有しない内周面に前記抵抗性摺動体を軸線方向に案内する複数の案内突条を有することを特徴とする流体ダンパー。
【発明の詳細な説明】
【技術分野】
【０００１】
本発明は、扉と筐体との間の如き可動体と固定体との間に設けられて可動体が固定体に相対するように移動する際に可動体の移動を緩衝する流体ダンパーの改良に関するものである。
【背景技術】
【０００２】
この種の流体ダンパーは、例えば、特許文献１の図４に示すように、ハウジング（滑動台２）とこのハウジング内に摺動自在に嵌入された抵抗性摺動体（緩衝器３）とから成り、抵抗性摺動体は、ハウジングの底部に係止される案内杆と、この案内杆に流体密を保って摺動自在に支持される流体密支持リングを有し内部に緩衝用粘性流体が充填された流体保持筒とを含んでいる。特許文献１には図示されていないが、流体保持筒内には抵抗性摺動体を通常ではハウジングから突出する方向に付勢する付勢部材が配置されている。
【０００３】
この流体ダンパーは、ハウジングに対して抵抗性摺動体が粘性流体の圧縮抵抗を受けながら収縮するように摺動して緩衝作用を行うが、粘性流案内杆と流体密支持リングの間から体がハウジング内に漏れ、この漏れ流体がハウジングと抵抗性摺動体との隙間を通して外部に流出する虞があった。
【０００４】
【特許文献１】実用新案登録第３１２９１７２号公報
【発明の開示】
【発明が解決しようとする課題】
【０００５】
本発明が解決しようとする課題は、抵抗性摺動体からハウジング内に漏れるかもしれない粘性流体がハウジングの外部に漏出するのを防止することができる流体ダンパーを提供することにある。
【課題を解決するための手段】
【０００６】
本発明の基本的な課題解決手段は、ハウジングと、このハウジング内に配置され粘性流体が充填された流体保持筒部材を含みハウジングから軸線方向に進退する可動部とから成り、流体保持筒部材内には可動部を前記ハウジングから突出する方向に付勢する付勢手段が配置されている流体ダンパーにおいて、ハウジングは、流体保持筒部材からハウジング内に漏れるかもしれない粘性流体を保持する漏れ流体保持手段を備えていることを特徴とする流体ダンパーを提供することにある。
【０００７】
本発明の基本的な課題解決手段において、漏れ流体保持手段は、ハウジング内に漏れ粘性流体を閉じ込める流体溜めから成っていてもよいし、この漏れ粘性流体を吸収する流体吸収部材から成っていてもよい。
【０００８】
本発明の１つの形態による課題解決手段は、ハウジングとこのハウジング内に摺動自在に嵌入された抵抗性摺動体とから成り、抵抗性摺動体は、ハウジングの底部に係止される案内杆と、この案内杆に流体が漏れないように摺動自在に支持され内部に緩衝用粘性流体が充填された流体保持筒部材とから成り、この流体保持筒部材内には抵抗性摺動体をハウジングから突出する方向に付勢する付勢手段が配置されている流体ダンパーにおいて、ハウジングと抵抗性摺動体との間には流体密支持部材から漏れるかもしれない粘性流体をハウジング内で抵抗性摺動体の突出端とは反対側に形成された長手方向の空間に保持する漏れ流体保持手段を備え、この漏れ流体保持手段は、この空間に漏れ流体を閉じ込める流体溜めを含んでいることを特徴とする流体ダンパーを提供することにある。
【０００９】
本発明の上記の形態による課題解決手段において、漏れ流体保持手段は、ハウジングの開口側の内周面に取り付けられて抵抗性摺動体を摺動自在に支持する閉じ込め筒又はハウジングの開口側の内周面に形成されて抵抗性摺動体を摺動自在に支持する肉厚壁を更に含むことができる。
【００１０】
また、ハウジングは、閉じ込め筒又は肉厚壁を有しない内周面に抵抗性摺動体を軸線方向に案内する複数の案内突条を有するのが好ましい。
【発明の効果】
【００１１】
本発明によれば、ハウジングと抵抗性摺動体との間には流体密支持部材から漏れるかもしれない粘性流体をハウジング内に保持する漏れ流体保持手段を有するので、抵抗性摺動体内の粘性流体が抵抗性摺動体からハウジング内に漏れることがあってもハウジング外に流出する虞がない。
【００１２】
また、この漏れ流体保持手段は、その空間に流体を閉じ込める流体溜めを有する場合に、この漏れ流体保持手段は、ハウジングの開口側の内周面に閉じ込め筒を取り付けるか、肉厚壁を形成するだけで更に漏れを二重に防止することができ、流体の漏れを有効に防止することができる流体シリンダーを簡単な構造で安価に提供することができる。
【発明を実施するための最良の形態】
【００１３】
本発明の実施の形態による流体ダンパーを図面を参照して詳細に述べると、図１は、本発明が対象とする流体ダンパー１０の一使用例を示し、この例では、流体ダンパー１０は、筐体１の開口端面１０Ｆに取り付けられて扉２を閉める際に緩衝するように機能する。流体ダンパー１０は、扉２が開いている際には、後に述べる抵抗性摺動体３０が開口面１ＯＦから突出するように筐体１に埋め込まれる。
【００１４】
流体ダンパー１０は、図２乃至図７に示すように、ハウジング２０と、このハウジング２０内に摺動自在に嵌入された抵抗性摺動体（可動部）３０とから成っている。
【００１５】
ハウジング２０は、図示の形態では、一端が符号２１で示すように開口し、他端が底部２２で閉じられている円筒部材２４から成っており、底部２２には、抵抗性摺動体３０の後に述べる案内杆が係止される立上り部２２Ｐが一体に設けられている。
【００１６】
抵抗性摺動体３０は、ハウジング２０の底部２２の立上がり部２２Ｐに係止される案内杆３１に流体密を保って摺動自在に支持される環状の流体密支持部材３２と案内杆３１に流体密を保つことなく摺動自在に支持される環状の非流体密支持部材３３とを有し内部に緩衝用粘性流体（図示せず）が充填された流体保持筒部材３５を含んでいる。
【００１７】
流体密支持部材３２は、内外のＯ−リングの如きシール材３２Ｓによって流体密を保持し、非流体密支持部材３３は、内周に設けられたオリフィス３３Ｆを通して粘性流体がその両側に流動するようになっている。なお、案内杆３１は、図７（Ａ）の扉開き位置では、相対的に、流体保持筒部材３５の外部に突出しているが、図７（Ｂ）の扉閉じ位置にでは、流体保持筒部材３５の内部にほぼ収納された状態になっている。従って、図７（Ａ）の状態の流体保持筒部材３５の内部圧力と、図７（Ｂ）の状態のときの内部圧力とを比較すると、図７（Ｂ）の状態のときは案内杆３１が収納されている分だけ流体保持筒部材３５の内部の体積が減少するので、図７（Ｂ）のときの内部圧力の方が高くなる。内部圧力が高くなると、流体保持筒部材３５の中の部品が破壊される虞があるので、これを防止するため、スポンジ３４が支持部材３２、３３の間に配置されている。内部圧力が高くなると、スポンジ３４が圧縮し、その圧縮した分だけ流体保持筒部材３５の内部の体積が増えるので、内部圧力を減少することができる。これにより流体保持筒部材３５の中の部品が破壊されるのを防止することができる。
【００１８】
コイルスプリングの形態の付勢部材３６は、流体保持筒部材３５内の外端３５Ｅと非流体密支持部材３３との間の空間内に配置され、その一端は、外端３４Ｅに係止され、他端は、ばね受け３６Ｒを介して非流体密支持部材３３に係止されている。従って、抵抗性摺動体３０は、通常では、図７（Ａ）に示すように、この付勢部材３６によって、ハウジング２０の開口から突出するように、付勢されているが、扉３を閉める際に、この扉の内面で押されて付勢部材３６と粘性流体との圧縮抵抗を受けて緩衝される。
【００１９】
なお、粘性流体は、流体保持筒部材３５の先端に設けられ注入孔３５Ｈを通して注入され、この注入孔３５Ｈは、付勢部材３６によって閉じられるように付勢されるシーリングボー-ル３５Ｂによって密封される。なお、符号３５Ｃは、この注入孔３５Ｈを隠蔽するキャップである。このキャップ３５は弾性を有しており、扉を閉める際に、このキャップ３５に扉の内面が当接して発生する当接音が低減されるようになっている。
【００２０】
本発明の流体ダンパー１０は、流体密支持部材３０からハウジング２０内に漏れるかもしれない粘性流体をハウジング２０内に保持する漏れ流体保持手段４０を備え、この漏れ流体穂手段４０は、図示の形態では、抵抗性摺動体３０の突出端とは反対側の長手方向の空間から成る流体溜め４０Ｓとこの流体溜め４０Ｓ内に漏れ流体を閉じ込める流体閉じ込め部材４０Ｍとから成っている。
【００２１】
図２乃至図７の形態では、この流体閉じ込め部材４０Ｍは、ハウジング２０の開口側の内周面に取り付けられて抵抗性摺動体３０を摺動自在に支持する閉じ込め筒４２から成っている。この閉じ込め筒４２は、ハウジング２０の内周に圧入して取り付けられている。
【００２２】
この閉じ込め筒４２は、図７から解るように、ハウジング２０の内周面と流体保持筒部材３５との隙間を塞いで流体溜め４０Ｓ内に漏れるかもしれない粘性流体がこの隙間を通してハウジング２０の開口２１から流出するのを防止する機能を有する。なお、符号４２Ｆは、ハウジング２０の開口面２１ＦＳに密接に係合してハウジング２０を密封するフランジである。
【００２３】
また、図示の形態では、図５（Ｂ）（Ｃ）及び図６、図７に示すように、ハウジング２０内であって閉じ込め筒４２を有しない内周面に抵抗性摺動体３０を軸線方向に案内する複数（図示の例では３つ）の案内突条２４Ｐを有する。これらの案内突条２４Ｐは、摺動体３０が引っ込み方向に押された時に、閉じ込め筒４２の最内端から先の部分で径方向に変位するのを防止する機能を有する。なお、図５（Ｃ）から解るように、流体保持筒部材３５は、その内端の外周面に隣り合う案内突条２４Ｐの間を越えて流体保持筒部材３５が回転変位することがないように案内突条２４Ｐに干渉するような肉厚の隆起部３５Ｐを有する。
【００２４】
次に、図２乃至図７の形態の流体ダンパー１０の使用状態と動作とを述べると、この流体ダンパー１０は、図１に示すように、ハウジング２０の開口端２１が筐体１の開口端面１０Ｆに一致するように、筐体１内に埋め込んで取り付けられる。
【００２５】
図１に示すように、扉２が開いていると、抵抗性摺動体３０が付勢部材３６の伸長力によってハウジング２０から突出しているが、扉２を閉じると、この扉２の内面で押されて抵抗性摺動体３０がハウジング２０内に押し込まれる。この際、抵抗性摺動体３０は、付勢部材３６の収縮抵抗の他に、その内部の粘性流体の圧縮抵抗を受けてハウジング２０内に急激に押し込まれることがなく、高い緩衝作用を受けて扉２をゆっくりと閉じる。粘性流体は、付勢部材３６を有する空間から非流体密支持部材３３のオリフィス３３Ｆを経て支持部材３２、３３の間の空間に誘導される。
【００２６】
扉２を再び開くと、抵抗性摺動体３０は、その内部の付勢部材３６の伸長力によってハウジング２０の開口２１から突出し、それに追従して粘性流体は支持部材３２、３３間の空間から付勢部材３６を有する空間内にゆっくりと吸引しながら誘導され、次の扉閉動作に備える。
【００２７】
流体密支持部材３２と案内杆３１の間から抵抗性摺動体３０の流体保持筒部材３４内の粘性流体がハウジング２０内で抵抗性摺動体３０の内端よりも内側に漏れるようなことがあっても、ハウジング２０は、この漏洩部分に比較滴大きな容積の流体溜め（閉じ込め空間）４０Ｓがあり、またこの流体溜め４０Ｓは、閉じ込め筒４２によってこの流体溜め４０Ｓを閉じているので、この漏れ粘性流体がハウジング２０外に流出することはない。なお、閉じ込め筒42の内周と抵抗性摺動体３０との間には抵抗性摺動体３０の摺動を許す隙間があるが、（１）ハウジング２０は、閉じ込め筒４２の圧入によりハウジング２０の内周面と閉じ込め筒４２の外周面の間からは流体は漏れないこと、（２）ハウジング２０の内周面と底面と閉じ込め筒４２の端面とで粘性流体を溜めるための流体溜め(凹所)４０Ｓが形成されていること、（３）図７に示すように、粘性流体が漏れる箇所（流体密支持部材３５の図７の右端）のハウジング２０に対する移動範囲が上記流体溜め４０Ｓの軸線長さ内におさめられるため、流体ダンパーの抵抗性摺動体３０を下に向けない限り、粘性流体は、流体溜め４０Ｓ内に留められる。
【００２８】
本発明の他の実施形態による流体ダンパー１０が図８に示されており、この形態による流体ダンパー１０は、先の実施の形態による流体ダンパー１０の閉じ込め筒４２に代えて、ハウジング１０に設けられた肉厚壁２０ＴＷを用いたことを除いて先の実施の形態と同じである。
【００２９】
この実施の形態でも、肉厚壁２０ＴWが流体溜め（閉じ込め空間）４０Ｓ内に漏洩粘性流体を閉じ込めるので、この空間２０Ｓから粘性流体がハウジング２０外に流出することがない。
【００３０】
図８の実施の形態によると、別途の閉じ込め筒４２を必要としないので、部品点数が少なくて済み、組立が容易となる。
【００３１】
図８の実施の形態による流体ダンパー１０の変形例が図９に示されており、この変形例による流体ダンパー１０は、図８の実施の形態による流体ダンパー１０の抵抗性摺動体３０の流体保持筒部材３５の先端に延長部３０Ｅを有することを除いてこの図８の実施の形態と同じである。
【００３２】
延長部３０Ｅは、図８の実施の形態のキャップ３５Ｃに代えて、このキャップを兼ねて取り付けられる棒状体とすることができる。
【００３３】
図９の流体ダンパー１０の漏洩流体閉じ込め作用は、図２乃至図８と全く同じであるが、抵抗性摺動体３０の全長を長くしたり、扉２等の可動体が押す部分の外径を流体保持筒部材３５の外径よりも小径にしたりすることができる。
【００３４】
図９の変形は、図２乃至図７の実施の形態による流体ダンパー１０にも適用することができることはもちろんである。
【００３５】
本発明の更に異なる実施の形態が図１０及び図１１に示されている。これらの形態では、摺動抵抗体３０は、案内杆３１とハウジング２０との両方に対して摺動するのではなく、案内杆３１に対してのみ相対的に摺動して案内杆３１がハウジング２０から突出し扉２に当接している。これらの実施の形態では、案内杆３１が可動部となっている。
【００３６】
この実施の形態でも、ハウジング２０と摺動抵抗体３０との間に抵抗性摺動体２０の流体密支持部材３２から漏洩する流体を閉じ込める流体溜め４０Ｓを有し、この流体溜め４０Ｓが摺動性抵抗体３０から漏れる流体を溜めて外部に漏れるのを防止している。なお、図１０及び図１１において先の実施の形態と同じ部分は同じ符号を付している。
【００３７】
本発明の更に他の形態による流体ダンパー１０が図１２及び図１３、図１４及び図１５に示されており、この実施の形態による流体ダンパー１０においては、漏れ流体保持手段４０が図１乃至図９の流体溜め４０Ｓ又はこの流体溜め４０Ｓと流体閉じ込め部材４０Ｍとの組み合わせに代えて、スポンジの如き流体吸収部材４４から成っていることを除いて図１乃至図１１と実質的に同じである。
【００３８】
図１２及び図１３の形態では、スポンジである流体吸収部材４４は、ハウジング２０と抵抗性摺動体３０の流体保持筒部材３５との間に設けられた筒状スポンジ４４ＣＡから成っており、また図１４及び図１５の形態では、スポンジである流体吸収部材４４は、ハウジング２０と抵抗性摺動体３０との間に配置された２つ割りの筒状スポンジ４４ＣＢから成っている。
【００３９】
これらの実施の形態では、図１乃至図１０の形態のハウジング立ち上がり部２２Ｐ及び流体溜め４０Ｓを有しないが、流体保持筒部材３５から漏れた粘性流体は、流体吸収部材４４に吸収されてハウジング２０外に流出するのを防止している。
【００４０】
これらの図１２乃至図１５の形態では、ハウジング２０は、図１乃至図１１の形態のように筒状ではなく、図１３（Ｃ）及び図１５（Ｃ）に示すように、矩形状断面を有していてその開口端側に拡大取付け部２０Ｌを有し、また抵抗性摺動体３０には、ハウジング２０の摺動溝２０ＳＧ内に係入するキャップ３０Ｃが取り付けられているが、これらのハウジング２０及び抵抗性摺動体３０は、図１乃至図１１に示すように、それぞれ筒状であってもよい。
【００４１】
図１６は、図１２乃至図１５の形態の使用例を示し、これらの流体ダンパー１０は、筐体１と扉２との間に取り付けられた蝶番５０の扉２側の蝶番部品５４に取り付けられて筐体１側の蝶番部品５２にキャップ３０Cが衝合して扉２を閉じる時に両者間に緩衝作用を付与している。
【産業上の利用可能性】
【００４２】
本発明によれば、流体密支持部材からハウジング内に漏れるかもしれない粘性流体をこのハウジング内の漏れ流体保持手段によって漏れ流体をハウジング内に保持するので、粘性流体がハウジング外に流出する虞がなく、産業上の利用性がある。
【図面の簡単な説明】
【００４３】
【図１】本発明の流体ダンパーの使用状態の一例を示す斜視図である。
【図２】本発明の１つの実施形態による流体ダンパーの斜視図である。
【図３】図２の流体ダンパーの一方側から見た分解斜視図である。
【図４】図２の流体ダンパーの他方側から見た分解斜視図である。図１の４−４線断面図である。
【図５】図２の流体ダンパーの側面と断面とを示し、同図（Ａ）は、側面図、同図（Ｂ）は、同図（Ａ）のＢ−Ｂ線断面図、同図（Ｃ）は、同図（Ａ）のＣ−Ｃ線断面図である。
【図６】図２の流体ダンパーの分解縦断面図である。
【図７】図２の流体ダンパーの縦断面を示し、同図（Ａ）は、その伸長状態の縦断面図、同図（Ｂ）は、その収縮状態の縦断面図である。
【図８】本発明の他の実施の形態による流体ダンパーの縦断面を示し、同図（Ａ）は、その伸長状態の縦断面図、同図（Ｂ）は、その収縮状態の縦断面図である。
【図９】本発明の更に他の実施形態による流体ダンパーの縦断面を示し、同図（Ａ）は、その伸長状態の縦断面図、同図（Ｂ）は、その収縮状態の縦断面図である。
【図１０】本発明の更に他の異なる実施形態による流体ダンパーの縦断面である。
【図１１】本発明の更に他の異なる実施形態による流体ダンパーの縦断面である。
【図１２】本発明の更に他の異なる実施形態による流体ダンパーを示し、同図（Ａ）（Ｂ）は、それぞれその伸長状態及び収縮状態の斜視図、同図（Ｃ）は、その分解状態の斜視図である。
【図１３】図１２（Ａ）（Ｂ）の縦断面図及び同図（Ａ）の横断面図である。
【図１４】図１２、図１３の実施の形態の変形例による流体ダンパーを示し、同図（Ａ）（Ｂ）は、それぞれその伸長状態及び収縮状態の斜視図、同図（Ｃ）は、その分解状態の斜視図である。
【図１５】図１４（Ａ）（Ｂ）の縦断面図及び同図（Ａ）の横断面図である。
【図１６】図１２乃至図１５の流体ダンパーの一使用例を示す斜視図である。
【符号の説明】
【００４４】
１  筐体
１Ｆ  筐体１の開口面
２  扉
１０  流体ダンパー
２０  ハウジング
２０Ｌ  拡大取付け部
２０ＳＧ  摺動溝
２１  開口
２１ＦＳ  開口端面
２０ＴＷ  肉厚壁
２２  底部
２２Ｐ  立上り部
２４  円筒部材
２４Ｐ  案内突条
２４Ｒ  肉厚隆起部
３０  抵抗性摺動体
３０Ｃ  キャップ
３０Ｅ  延長部
３１  案内杆
３２  環状の流体密支持部材
３２Ｓ  シール材
３３  環状の非流体密支持部材
３３Ｆ  オリフィス
３４  中間支持部材
３４Ｆ  オリフィス
３４Ｅ  外端
３５  流体保持筒部材
３５Ｈ  注入孔
３５Ｂ  シーリングボール
３５Ｃ  キャップ
３６  コイルスプリングの形態の付勢部材
３６Ｒ  ばね受け
４０  漏れ流体保持手段
４０Ｓ  流体溜め（流体閉じ込め空間）
４０Ｍ  流体閉じ込め部材
４２  閉じ込め筒
４４  流体吸収部材
４４ＣＡ  筒状スポンジ
４４ＣＢ  ２つ割筒状スポンジ
【図１】
0004897729.tif 000002
【図２】
0004897729.tif 000003
【図３】
0004897729.tif 000004
【図４】
0004897729.tif 000005
【図５】
0004897729.tif 000006
【図６】
0004897729.tif 000007
【図７】
0004897729.tif 000008
【図８】
0004897729.tif 000009
【図９】
0004897729.tif 000010
【図１０】
0004897729.tif 000011
【図１１】
0004897729.tif 000012
【図１２】
0004897729.tif 000013
【図１３】
0004897729.tif 000014
【図１４】
0004897729.tif 000015
【図１５】
0004897729.tif 000016
【図１６】
0004897729.tif 000017